(57)【要約】【課題】パラペット上を緑化することができるパラペット用緑化装置を提供する。【解決手段】本発明のパラペット用緑化装置１は、パラペット２の上端に笠木２１を取り付け、この笠木２１の上方に、長さ方向に沿って桝部３を設置し、この桝部３の側方に、側面３ｂと適宜間隔を設けて線状部材７を配したことを特徴とする。  これにより、容易にパラペット２上を緑化することができ、線状部材７に絡まるように蔦状の植物を成長させれば、側方を緑化することができる。【選択図】図１
2008263794.tif 000002
【特許請求の範囲】
【請求項１】
パラペットの上端に笠木を取り付け、この笠木の上方に、長さ方向に沿って桝部を設置し、この桝部の側方に、側面と適宜間隔を設けて線状部材を配してあるパラペット用緑化装置。
【請求項２】
桝部の端面の上方に、散水用ホースの納まる切り欠き部を設けてある請求項１に記載のパラペット用緑化装置。
【請求項３】
桝部の側面、端面のいずれか又は両方に、排水孔を設けてある請求項１又は２に記載のパラペット用緑化装置。
【請求項４】
桝部を、笠木上に長さ方向に沿って適宜間隔で配した桝取付部材に納めて固定し、線状部材を、桝取付部材から側方に突出した突出片の先端付近に固定してある請求項１〜３のいずれかに記載のパラペット用緑化装置。
【請求項５】
前記突出片の先端付近に溝部を設け、その内部に線状部材を配し、この線状部材を締結部材で固定してある請求項４に記載のパラペット用緑化装置。
【請求項６】
前記締結部材を、全体が突出片内に納まるように締結してある請求項５に記載のパラペット用緑化装置。
【発明の詳細な説明】
【技術分野】
【０００１】
本発明は、建物のパラペット上に設置するパラペット用緑化装置に関する。
【背景技術】
【０００２】
近年、都市部では、ヒートアイランド現象対策として、建物の屋上緑化や壁面緑化が行なわれている（例えば、下記特許文献１参照）。
屋上緑化は、例えば、図５に示すように、屋上面１００に防水シート１０１などを敷き、その上に土壌１０２を形成し、そこに草木などを植え、屋上緑化を行なうものがあり、この場合、土壌１０２に蔦状の植物１０３を植え、この蔦を、パラペット１０４を越えるように成長させ、壁面１０５を覆うようにして壁面緑化を行なうこともある。
また、図６に示すように、屋上面１００ａに、土壌を押さえるため、上方に突出した立上り１００ｂを設け、その内側に土壌１００ｃを形成し、屋上緑化や壁面緑化を行なったり、図７に示すように、屋上面１０１ａに大型プランター１０１ｂを設置し、そこに植物を植えて屋上緑化や壁面緑化を行なったりすることがある。
【０００３】
【特許文献１】特開２００４−８９００５号公報
【発明の開示】
【発明が解決しようとする課題】
【０００４】
屋上や壁面を緑化することは、現在では、よく見られる光景であるが、パラペット上を直接緑化することは行なわれていない。
また、図５に示したように、パラペット１０４を跨いで蔦状の植物を成長させる場合、パラペット１０４の上端には、金属製の笠木１０６が設けられていることがあり、太陽光により笠木１０６の温度が上昇し、蔦状の植物１０３が熱焼けして枯れてしまうおそれがあった。
図６，７に示した場合も、上記と同様、パラペットの上端に金属製の笠木を設けた場合、太陽光により蔦状の植物が熱焼けして枯れてしまうおそれがあり、また、図６に示すように、立上り１００ｂを設けることは、新たに計画・設計・施工しなければならず手間のかかるものであった。
【０００５】
そこで、本発明の目的は、パラペット上を容易に緑化することができるパラペット用緑化装置を提供することにある。
【課題を解決するための手段】
【０００６】
本発明のパラペット用緑化装置は、パラペットの上端に笠木を取り付け、この笠木の上方に、長手方向に沿って桝部を設置し、この桝部の側方に、側面と適宜間隔を設けて線状部材を配してあることを特徴とする。
【０００７】
これにより、笠木の上方に設けた桝部に植物を植え、成長させれば、容易にパラペット上を緑化することができ、側方に設けた線状部材に絡ませるように蔦状の植物を成長させれば、桝部の側方も緑化することができ、さらに、そこから下方に成長させれば、壁面緑化を行なうこともできる。また、笠木の上方に桝部を設けたため、植物が熱焼けで枯れるおそれがなく、線状部材を側面と適宜間隔を設けて配したため、下方に垂れ下がった蔦と壁面との間に距離ができ、蔦が、風で揺れたとしても、壁面に当たりにくくなり、傷みにくくなる。
【０００８】
上記パラペット用緑化装置は、桝部の端面の上方に、飛散防止として散水用ホースの納まる切り欠き部を設けるのが好ましい。
【０００９】
これにより、従来では散水用ホースが端面を乗り越えて桝部内に敷かれていたため、散水用ホースが側方から見えてしまい見栄えがよくなかったが、本発明では桝部内に散水用ホースが納まるため、見栄えがよくなる。また、従来では、ホースを固定するための固定くいが必要であったが、本発明では、切り欠き部を設けたため固定くいが不要となる。
【００１０】
上記パラペット用緑化装置は、桝部の側面、端面のいずれか又は両方に、排水孔を設けるのが好ましい。
【００１１】
これにより、排水孔から外に水が排出され、桝部から水があふれることを防ぐことができる。また、底面から適宜高さに排水孔を設ければ、所定量の水は桝部内に溜まり、それ以上は外に排出されるようにすることができる。
【００１２】
上記パラペット用緑化装置は、桝部を、笠木上に長手方向に沿って適宜間隔で配した桝取付部材に納めて固定し、線状部材を、桝取付部材から側方に突出した突出片の先端付近に固定することが好ましい。また、この場合、  前記突出片の先端付近に溝部を設け、その内部に線状部材を配し、この線状部材を締結部材で固定するのが好ましく、さらに、この締結部材を、全体が突出片内に納まるよう締結するのが好ましい。
【００１３】
これにより、パラペット用緑化装置を容易に設置することができる。また、締結部材の全体が突出片内に納まるように締結することにより、締結部材が隠れて見栄えがよくなる。
【発明を実施するための最良の形態】
【００１４】
以下、本発明の一実施形態を、図面を用いて説明する。
図１は本発明の一実施形態のパラペット用緑化装置を笠木上に設置した状態を示した断面図、図２は図１のパラペット用緑化装置の構成部品である桝部の斜視図、図３は図１のパラペット用緑化装置の構成部品である桝取付部材の斜視図、図４は図１のパラペット用緑化装置を笠木上に取り付けた状態を示した建物外方側の斜視図である。
【００１５】
本発明の一実施形態のパラペット用緑化装置１は、図１又は４に示すように、建物のパラペット２に設けた笠木２１上に長さ方向に沿って設けるものであり、桝部３を、笠木２１に長さ方向に沿って適宜間隔で取付けた桝取付部材４に納めて固定できるようにしてある。
【００１６】
笠木２１は、従来公知のものを使用することができ、例えば、図１に示すように、笠木固定部材２３と長尺状の笠木表面部材２４とからなり、これらの幅方向の中間部に上下に貫通する孔２３ａ，２４ａを設け、そこにパラペット２上に固定したボルト軸部２２を挿し通し、この軸部２２の先端が露出するように加工したものを用いることができる。
【００１７】
桝部３は、図１又は２に示すように、長尺の略矩形箱状に形成してあり、この中に土壌などを入れ、植物を生育することができるものである。
桝部３の端面３ａの上方には、略矩形状に切り欠いた切り欠き部３１が設けてあり、散水用ホース５を納めることができるようにしてある。切り欠き部３１の上方には、対向するように内側に突出した係止片３１ａが設けてあり、納めた散水用ホース５を外れにくくしてある。
桝部３の建物の内側に位置する側面３ｂには、底面３ｃから適宜高さの位置に長さ方向に沿って複数の排水孔３２が設けてあり、この高さまでの水は、桝部３内に貯えるが、それ以上の水は、ここから排出されるようにしてある。
両側面３ｂの上方には、長さ方向に沿って適宜数の長円状の孔３３が設けてある。
【００１８】
桝取付部材４は、図１又は３に示すように、長尺状矩形板材を上方が開口したコの字状に折り曲げ、内側に桝部３が隙間なく納まる形状としてある。桝取付部材４の底部４１は、中間付近を下方にさらにコの字状に膨出させ、その底面４１ａに取付孔４１ｂを設け、前記ボルト軸部２２を挿し通してナット６１で締結し、桝取付部材４を笠木２１上に固定できるようにしてある。底面４１ａの外側は、笠木２１の表面に合わせた傾斜面状に形成してあり、桝取付部材４が、略垂直に固定できるようにしてある。
【００１９】
桝取付部材４の両側面４ａには、側方に突出した略矩形状の突出片４２が上下に並行するように設けてあり、その上面の先端付近には、桝部３の長さ方向に沿った溝部４３が設けてあり、そこにステンレス製ワイヤーなどの線状部材７が納まるようにしてある。また、溝部４３の長さ方向の中間付近には、上方が開口した適宜深さのネジ穴４４が設けてあり、そこに締結部材４６を締結し、溝部４３に納めた線状部材７を固定できるようにしてある。
桝取付部材４の両側面４ａの上方には、前記孔３３と合う位置に円形状の孔４５が設けてあり、締結部材（ボルトなど）６２を挿し通し、締結部材（ナットなど）６３で締結して桝部３を固定できるようにしてある。
【００２０】
以下、上記パラペット用緑化装置１の設置手順の一例を説明する。
【００２１】
パラペット２の上面２ａに、長さ方向に沿って適宜間隔で、幅方向の中間付近にボルト軸部２２を略垂直に固定する。笠木固定部材２３の中間付近に孔２３ａを設け、この孔２３ａにボルト軸部２２を挿し通し、笠木固定部材２３をパラペット２の幅方向に沿ってねじ６４などで固定する。笠木表面部材２４は、固定したボルト軸部２２と合う位置に孔２４ａが形成してあり、この孔２４ａにボルト軸部２２を挿し通し、笠木表面部材２４の幅方向の両端部を、笠木固定部材２３の両端部に係止して固定する。
【００２２】
桝取付部材４を、取付孔４１ｂにボルト軸部２２を挿し通し、突出片４２を建物の内外方向に向け、ナット６１をボルト軸部２２に締結して固定する。桝部３の孔３３と桝取付部材４の孔４５とを合わせながら桝部３を桝取付部材４内に納め、孔３３と孔４５とに締結部材（ボルトなど）６２を挿し通して締結部材（ナットなど）６３で締結し、桝部３と桝取付部材４とを固定する。
【００２３】
線状部材７を、各取付部材４の溝部４３に納めて架け渡し、ネジ穴４４に締結部材４６を締結して線状部材７を固定する。この際、締結部材４６は、図２に示すように、円周面にネジ部４６ａを設け、端面に六角レンチなどの工具を嵌め合わせ可能な穴部４６ｂを設けた形状としてあり、締結部材４６を突出片４２の厚み内に全てが納まるように締結する。これにより、外側からこの締結部材４６が見えず、見栄えがよくなる。具体的には、締結部材４６として、六角穴付き止めネジなどを用いることができる。
【００２４】
このように設置することにより、図４に示すように、笠木２１上に長さ方向に沿ってパラペット用緑化装置１を設置することができる。
この桝部３内に、図１に示すように、適宜高さまで軽石８１を敷き詰め、その上に不織布８２を敷き、さらにその上に適宜高さまで土壌８３を敷き詰め、ここに蔦状の植物９などを植えて生育することができる。
切り欠き部３１に、周面を若干潰して散水用ホース５を納めて、散水用ホース５を桝部３内に配することができる。
【００２５】
桝部３に植えた蔦状の植物９を、図１に示すように、建物の外側に誘導し、下方に垂れ下がるように成長させ、また、線状部材７に絡まるように成長させ、壁面やパラペット上を緑化することができる。
【００２６】
本発明のパラペット用緑化装置は、容易にパラペット上を緑化することができ、側方の線状部材に絡まるように蔦を成長させれば、側方も緑化することができ、そこからさらに下方に蔦状の植物を成長させれば壁面も緑化することができる。また、笠木に触れることなく蔦状の植物を成長させることができるので、熱焼けで枯れるおそれがない。
【００２７】
なお、上記実施形態の構成態様は、本発明を限定するものとして挙げたものではなく、技術目的を共通にするかぎり変更は可能であり、本発明はそのような変更を含むものである。
【図面の簡単な説明】
【００２８】
【図１】本発明の一実施形態のパラペット用緑化装置を笠木上に設置した状態を示した断面図である。
【図２】図１のパラペット用緑化装置の構成部品である桝部の斜視図である。
【図３】図１のパラペット用緑化装置の構成部品である桝取付部材の斜視図である。
【図４】図１のパラペット用緑化装置を笠木上に取り付けた状態を示した斜視図である。
【図５】従来の壁面緑化の一例を示した断面図である。
【図６】従来の壁面緑化の他例を示した断面図である。
【図７】従来の壁面緑化の他例を示した断面図である。
【符号の説明】
【００２９】
１パラペット用緑化装置
２パラペット
２ａ上面
２１笠木
３桝部
３ａ端面
３ｂ側面
３１切り欠き部
３２排水孔
４桝取付部材
４ａ側面
４２突出片
４６締結部材
７線状部材
【図１】
2008263794.tif 000003
【図２】
2008263794.tif 000004
【図３】
2008263794.tif 000005
【図４】
2008263794.tif 000006
【図５】
2008263794.tif 000007
【図６】
2008263794.tif 000008
【図７】
2008263794.tif 000009